(57)【要約】      （修正有）【課題】簡便に商品提案ができる、住宅設備のデザインシミュレーションによる商品提案方法ならびに商品提案システムを提供する。【解決手段】  住宅設備品の表面の質感を確認するための意匠見本サンプルと、情報処理装置とを備え、前記情報処理装置は、住宅設備商品の意匠情報を記憶する意匠情報記憶手段と、隣接する住宅設備品同士の配色の良否評価基準を記憶する評価基準記憶手段と、意匠見本サンプルの識別情報を認識するための感知手段を備えたインターフェースとを有し、意匠見本サンプルから伝達される識別情報により特定された意匠情報の意匠情報記憶手段からの引き出しと、表示手段に表示した住宅設備品の意匠情報の前記特定された意匠情報への切り換えとを繰り返し、複数の住宅設備品から成る住宅設備の意匠を決定し、表示手段に表示した隣接する住宅設備品の意匠情報同士の配色の良否を前記評価基準に基づいて判定し、表示する。【選択図】  図１
2005284713.tif 000002
【特許請求の範囲】
【請求項１】
情報処理装置の演算手段が、住宅設備商品の初期意匠情報を情報処理装置の記憶手段から引き出して情報処理装置の表示手段に表示し、
識別情報を格納した記憶手段と、識別情報を伝達する情報伝達手段を有するインターフェースとを備えた、住宅設備商品の表面の質感を確認するための意匠見本サンプルを、情報処理装置の感知手段を有するインターフェースに近接または接触させることにより、意匠見本サンプルの記憶手段が記憶した識別情報を情報処理装置の演算手段に伝達し、
情報処理装置の演算手段が、伝達された識別情報により特定された住宅設備商品の意匠情報を情報処理装置の記憶手段から引き出して、情報処理装置の表示手段に表示されている住宅設備商品の意匠情報を前記特定された意匠情報に切り換え、
意匠見本サンプルの記憶手段から情報処理装置の演算手段への識別情報の伝達と、識別情報により特定された住宅設備商品の意匠情報の情報処理装置の記憶手段からの引き出しと、情報処理装置の表示手段に表示された住宅設備商品の意匠情報の前記特定された意匠情報への切り換えとを繰り返し、複数の住宅設備品の意匠情報をそれぞれ特定された意匠情報に切り換えて、複数の住宅設備品から成る住宅設備の意匠を決定し、
情報処理装置の演算手段が、情報処理装置の記憶手段から隣接する住宅設備品同士の配色の良否評価基準を引き出し、表示手段に表示した隣接する住宅設備品の意匠情報同士の配色の良否を前記評価基準に基づいて判定し、判定結果を表示手段に表示する
ことを特徴とする住宅設備のデザインシミュレーションによる商品提案方法。
【請求項２】
住宅設備品の表面の質感を確認するための意匠見本サンプルと、情報処理装置とを備え、
前記意匠見本サンプルは、識別情報を格納する識別情報記憶手段と、情報伝達手段を具備するインターフェースとを有し、
前記情報処理装置は、住宅設備商品の意匠情報を記憶する意匠情報記憶手段と、隣接する住宅設備品同士の配色の良否評価基準を記憶する評価基準記憶手段と、意匠見本サンプルの識別情報を認識するための感知手段を備えたインターフェースと、演算手段と、表示手段と、操作手段とを有し、
演算手段は、住宅設備商品の初期意匠情報を意匠記憶手段から引き出して表示手段に表示し、
演算手段は、意匠見本サンプルから伝達される識別情報により特定された意匠情報を意匠情報記憶手段から引き出し、表示手段に表示した住宅設備品の意匠情報を前記特定された意匠情報に切り換え、
演算手段は、意匠見本サンプルから伝達される識別情報により特定された意匠情報の意匠情報記憶手段からの引き出しと、表示手段に表示した住宅設備品の意匠情報の前記特定された意匠情報への切り換えとを繰り返し、複数の住宅設備品の意匠情報をそれぞれ特定された意匠情報に切り換えて、複数の住宅設備品から成る住宅設備の意匠を決定し、
演算手段は、評価基準記憶手段から隣接する住宅設備品同士の配色の良否評価基準を引き出し、表示手段に表示した隣接する住宅設備品の意匠情報同士の配色の良否を前記評価基準に基づいて判定し、判定結果を表示手段に表示する
ことを特徴とする住宅設備のデザインシミュレーションによる商品提案システム。
【発明の詳細な説明】
【技術分野】
【０００１】
本発明は、商品部材の色決めなどの意匠決めに好適な、住宅設備のデザインシミュレーションによる商品提案方法ならびに商品提案システムに関するものである。 
【背景技術】
【０００２】
仮想モデルハウスのソリッドモデルと、顧客の選択に基づいて決定された仮想モデルハウス内の各部の色とをパソコンに入力して、仮想モデルハウスの疑似空間をパソコン内に形成し、当該疑似空間を顧客に疑似体験させる住宅提案システムが特許文献１に開示されている。
【０００３】
【特許文献１】特開２００１−２８３２５８号公報。
【発明の開示】
【発明が解決しようとする課題】
【０００４】
特許文献１等の従来の商品提案システムには、顧客やオペレータが色見本や仕様一覧表等を参照しながら商品各部の仕様を決定し、決定した仕様をキーボードを介してパソコンに入力する必要があり、簡便さに欠けるという問題があった。
【０００５】
本発明は、上記問題に鑑みてなされたものであり、簡便に商品提案ができる、住宅設備のデザインシミュレーションによる商品提案方法ならびに商品提案システムを提供することを目的とする。
【課題を解決するための手段】
【０００６】
上記目的を達成するために、本発明においては、
情報処理装置の演算手段が、住宅設備商品の初期意匠情報を情報処理装置の記憶手段から引き出して情報処理装置の表示手段に表示し、
識別情報を格納した記憶手段と、識別情報を伝達する情報伝達手段を有するインターフェースとを備えた、住宅設備商品の表面の質感を確認するための意匠見本サンプルを、情報処理装置の感知手段を有するインターフェースに近接または接触させることにより、意匠見本サンプルの記憶手段が記憶した識別情報を情報処理装置の演算手段に伝達し、
情報処理装置の演算手段が、伝達された識別情報により特定された住宅設備商品の意匠情報を情報処理装置の記憶手段から引き出して、情報処理装置の表示手段に表示されている住宅設備商品の意匠情報を前記特定された意匠情報に切り換え、
意匠見本サンプルの記憶手段から情報処理装置の演算手段への識別情報の伝達と、識別情報により特定された住宅設備商品の意匠情報の情報処理装置の記憶手段からの引き出しと、情報処理装置の表示手段に表示された住宅設備商品の意匠情報の前記特定された意匠情報への切り換えとを繰り返し、複数の住宅設備品の意匠情報をそれぞれ特定された意匠情報に切り換えて、複数の住宅設備品から成る住宅設備の意匠を決定し、
情報処理装置の演算手段が、情報処理装置の記憶手段から隣接する住宅設備品同士の配色の良否評価基準を引き出し、表示手段に表示した隣接する住宅設備品の意匠情報同士の配色の良否を前記評価基準に基づいて判定し、判定結果を表示手段に表示する
ことを特徴とする住宅設備のデザインシミュレーションによる商品提案方法を提供する。
【０００７】
また、発明においては、
住宅設備品の表面の質感を確認するための意匠見本サンプルと、情報処理装置とを備え、
前記意匠見本サンプルは、識別情報を格納する識別情報記憶手段と、情報伝達手段を具備するインターフェースとを有し、
前記情報処理装置は、住宅設備商品の意匠情報を記憶する意匠情報記憶手段と、隣接する住宅設備品同士の配色の良否評価基準を記憶する評価基準記憶手段と、意匠見本サンプルの識別情報を認識するための感知手段を備えたインターフェースと、演算手段と、表示手段と、操作手段とを有し、
演算手段は、住宅設備商品の初期意匠情報を意匠記憶手段から引き出して表示手段に表示し、
演算手段は、意匠見本サンプルから伝達される識別情報により特定された意匠情報を意匠情報記憶手段から引き出し、表示手段に表示した住宅設備品の意匠情報を前記特定された意匠情報に切り換え、
演算手段は、意匠見本サンプルから伝達される識別情報により特定された意匠情報の意匠情報記憶手段からの引き出しと、表示手段に表示した住宅設備品の意匠情報の前記特定された意匠情報への切り換えとを繰り返し、複数の住宅設備品の意匠情報をそれぞれ特定された意匠情報に切り換えて、複数の住宅設備品から成る住宅設備の意匠を決定し、
演算手段は、評価基準記憶手段から隣接する住宅設備品同士の配色の良否評価基準を引き出し、表示手段に表示した隣接する住宅設備品の意匠情報同士の配色の良否を前記評価基準に基づいて判定し、判定結果を表示手段に表示する
ことを特徴とする住宅設備のデザインシミュレーションによる商品提案システムを提供する。
【発明の効果】
【０００８】
本発明によれば、所望の意匠見本サンプルを情報処理装置のインターフェースに逐次接近又は接触させるだけで、住宅設備品の意匠が逐次決定表示され、最終的に、複数の住宅設備品を含む住宅設備全体の意匠が決定表示される。従って、本発明により、簡便に商品提案ができる、住宅設備のデザインシミュレーションによる商品提案方法ならびに商品提案システムが提供される。
本発明によれば、複数の住宅設備品同士の配色の良否判定が表示されるので、顧客は良否判定を参照して、住宅設備品の意匠選択を適正且つ迅速に行うことができる。
【発明を実施するための最良の形態】
【０００９】
本発明の実施例を説明する。
【実施例１】
【００１０】
図１に示すように、本発明の実施例に係る商品提案システムは、住宅設備商品の表面の質感を確認するための意匠見本サンプル１と、情報処理装置２とを備えている。
意匠見本サンプル１は、自己を他の意匠見本サンプルから識別するための識別情報を格納記憶した識別情報格納記憶手段１１と、識別情報を外部へ伝達する情報伝達手段を具備したインターフェース１２とを有している。
情報処理装置２は、意匠見本サンプル１の識別情報に対応する意匠情報と、住宅設備品同士の配色の良否評価基準とをあらかじめ記憶した記憶手段２１と、意匠見本サンプル１のインターフェース１２と通信することにより意匠見本サンプル１の識別情報を認識する感知手段を備えたインターフェース２２と、インターフェース２２が認識した識別情報に対応する意匠情報を記憶手段２１から引き出すと共に種々の後処理を行う演算処理手段２３と、演算処理手段２３が記憶手段２１から引き出した意匠情報を画面に表示する表示手段２４と、画面に表示された意匠情報を印刷する出力手段２５と、操作手段２６とを備えている。
【００１１】
意匠見本サンプル１を識別するための識別情報格納記憶手段１１と情報伝達手段を具備したインターフェース１２として、ＲＦＩＤ（Ｒａｄｉｏ  Ｆｒｅｑｕｅｎｃｙ  Ｉｄｅｎｔｉｆｉｃａｔｉｏｎ）やバーコードや２次元コード等を利用可能である。
【００１２】
ＲＦＩＤの場合には、意匠見本サンプル１が有するインターフェース１２を情報処理装置２のインターフェース２２に接近または接触させると、インターフェース２２は、電磁誘導や電波などの無線信号の授受をインターフェース１２との間で行い、意匠見本サンプル１の識別情報を認識する。
パッシブ型のＲＦＩＤの場合、意匠見本サンプル１が有する識別情報格納記憶手段１１としてＩＣチップが好適に利用され、識別情報を伝達する情報伝達手段を具備したインターフェース１２としてアンテナが好適に利用される。インターフェース２２は、電磁誘導や電波などの無線信号を常時または間欠的に送信する。意匠見本サンプル１が有するＲＦＩＤがインターフェース２２に接近又は接触すると、電磁誘導や電波などの無線信号による電磁界エネルギーによりＲＦＩＤに電力が蓄積され、識別情報格納記憶手段１１に記憶された識別情報が、インターフェース１２からインターフェース２２へ送信される。
アクティブ型ＲＦＩＤの場合、ＲＦＩＤは電池などの電力源を内蔵する。識別情報格納記憶手段１１であるＩＣチップに格納記憶された識別情報が、インターフェース１２から常時または間欠的にインターフェース２２へ送信される。
【００１３】
バーコードや２次元コードの場合には、光学式スキャナーなどのインターフェース２２が、接近または接触した意匠見本サンプル１が有する識別情報格納記憶手段１１であるバーコード表面や２次元コード表面を光学的にスキャンし、インターフェース１２であるバーコード表面からの反射光を受光し、意匠見本サンプル１の識別情報を認識する。
【００１４】
識別情報格納記憶手段１１とインターフェース１２とは、意匠見本サンプル１の裏面などへ貼り付けられても良く、意匠見本サンプル１に吊り下げられても良い。
【００１５】
意匠見本サンプル１の識別情報に対応する意匠情報として、住宅設備品の色、模様、形状、価格、納期等が挙げられる。
【００１６】
意匠見本サンプル１の識別情報として、ＲＦＩＤの製造時に割り振られている英数字のシリアル番号、既製のＲＦＩＤに後から入力した品番、部材名、色名、柄名、発売日等の文字情報、等が挙げられる。
【００１７】
意匠見本サンプル１としては、少なくとも住宅設備品の表面を有しており、住宅設備品の色、柄、形状などの意匠情報だけでなく、色映え、質感などの実際の住宅設備品の見映えのほか、肌触り、重厚感などの質感を、顧客が確認できるものが好ましい。
【００１８】
表示手段２４としては、ＰＤＰ（プラズマディスプレイパネル）や液晶ディスプレイなど大画面で且つＣＲＴ（カソードレイチューブ）に比べて薄型の表示装置が、ショールームという限られた空間に数多くの展示品を展示する場所においては、好適に使用できる。
表示手段２４の画面に表示させる画像としては、色と模様と３次元ＣＡＤデータとから生成される３次元ＣＧ（コンピュータグラフィック）に限らず、簡便な画像として写真画像も好適に利用できる。
【００１９】
出力手段２５として、レーザープリンター、インクジェットプリンター等、各種プリンターを好適に利用できる。
【００２０】
操作手段２６として、キーボードの他に、表示手段２４の画面上に設けたタッチパネルも好適に利用できる。
【００２１】
住宅設備であるキッチンの設備品提案に使用した上記商品提案システムの作動の一例を図２〜図４を参照しつつ説明する。
【００２２】
図２、３に示すように、商品アドバイザー１００が、表示手段２４としての５０インチ型ＰＤＰ（プラズマディスプレイパネル）画面上に設けた操作手段２６としてのタッチパネルを指で触れることにより、キッチンのデザインシミュレーションが開始される（Ｓ１００）。
演算処理手段２３は、記憶手段２１に記憶されているキッチン設備の初期意匠情報を引き出し（Ｓ１０１）、表示手段２４としての５０インチ型ＰＤＰに、システムキッチンのカウンター、システムキッチンの扉、キッチンの床、キッチンの壁等の諸設備品を含むキッチンの初期意匠を３次元表示する（Ｓ１０２）。
【００２３】
顧客２００が選択したキッチンカウンターの意匠見本サンプル１を、顧客２００又は商品アドバイザー１００が、情報処理装置２のインターフェース２２に接近又は接触させると、インターフェース２２の感知手段が意匠見本サンプル１の近接または接触を感知し（Ｓ１０３）、意匠見本サンプル１の識別情報格納記憶手段１１に格納記憶された意匠見本１の識別情報を、意匠見本サンプル１のインターフェース１２が、情報処理装置２のインターフェース２２に伝達する（Ｓ１０４）。インターフェース２２に伝達された意匠見本１の識別情報は、演算処理手段２３に伝達される。
情報処理装置２の演算処理手段２３は、伝達された意匠見本サンプル１の識別情報により特定されたキッチンカウンターの意匠情報を、記憶手段２１から引き出し（Ｓ１０５）、表示手段２４としての５０インチ型ＰＤＰに表示したキッチンカウンターの初期意匠情報を、引き出した意匠情報に切り換える（Ｓ１０６）。
【００２４】
システムキッチンの扉、キッチンの床、キッチンの壁についても、意匠サンプル１の選択と、意匠見本サンプル１の識別情報格納記憶手段１１から情報処理装置２の演算処理手段２３への識別情報の伝達と、識別情報により特定された意匠情報の記憶手段２１からの引き出しと、表示手段２４としての５０インチ型ＰＤＰに表示した初期意匠情報の前記特定された意匠情報への切り換えと行って、キッチンの意匠を決定し、キッチンの意匠のデザインシミュレーションを完成させる（Ｓ１０７）。
演算処理手段２３は、完成したキッチンのデザインを、表示手段２４としての５０インチ型ＰＤＰに表示すると共に、出力手段２５としてのカラープリンターを介して出力する（Ｓ１０８）。
演算処理手段２３は、完成させたキッチンデザインの、キッチンカウンター、キッチン扉、キッチン床、キッチン壁の意匠情報を記憶手段２１に記憶させる。
【００２５】
演算処理手段２３は、完成させたキッチンデザインの、キッチンカウンター、キッチン扉、キッチン床の意匠情報を記憶手段２１から引き出し、互いに隣接するカウンターと扉、扉と床の配色の良否評価基準を記憶手段２１から引き出す。
良否評価基準の一例を図４に示す。カウンターと扉の場合、ホワイト、グレー、ブルー、ベージュの４色のカウンターと、質感の異なる２種のホワイト、グレー、ブルー、ベージュの計８色の扉との配色の良否を規定している。配色の良否を点数の大小で表し、図４（ａ）に示すように、同系色同士の組み合わせ→ホワイトを含む組み合わせ→前記２つの組み合わせと補色同士の組み合わせを除く他の組み合わせ→補色同士の組み合わせの順に３点、２点、１点、０点を付与している。扉と床の場合、質感の異なる２種のホワイト、グレー、ブルー、ベージュの計８色の扉と、ホワイト、明るい茶色、地味な茶色の３色の床との配色の良否を規定している。配色の良否を点数の大小で表し、床がホワイトである組み合わせ、扉がホワイト又はベージュで床がホワイト又は同系色の組み合わせに２点を付与し、扉がブルー又はグレーで床が地味な茶色の組み合わせに１点を付与し、扉がブルー又はグレーで床が明るい茶色の組み合わせに０点を付与している。
演算処理手段２３は、５０インチ型ＰＤＰの画面上に完成させたキッチンデザインの、カウンターと扉、扉と床の配色の良否を、前記評価基準に基づいて判定し、判定結果を、情報処理装置２の前面パネル上に配設した５個のＬＥＤ２７ａ、２７ｂ、２７ｃ、２７ｄ、２７ｅの点灯により、６段階評価として表示する。ＬＥＤ２７ａ〜２７ｃは、全消灯（０点）〜全点灯（３点）により、カウンターと扉の配色の良否を４段階評価で表示し、ＬＥＤ２７ｄ〜２７ｅは、全消灯（０点）〜全点灯（２点）により、扉と床の配色の良否を３段階評価で表示する（Ｓ１０９）。
【００２６】
上記の商品提案システムによれば、顧客２００が所望する意匠見本サンプル１を情報処理装置２のインターフェース２２に逐次接近又は接触させるだけで、キッチン設備品の意匠が逐次決定表示され、最終的に、複数の設備品を含むキッチン全体の意匠が決定表示される。上記の商品提案システムを使用すれば、キッチン全体の設備品を簡便に提案することができる。
上記の商品提案システムによれば、複数のキッチン設備品同士の配色の良否判定が表示されるので、顧客２００は良否判定を参照して、キッチン設備品の意匠選択を適正且つ迅速に行うことができる。
【実施例２】
【００２７】
図５に示すように、情報処理装置２を、インターフェース２２と演算手段２３と表示手段２４と出力手段２５と操作手段２６とを有する情報処理端末３と、記憶手段２１を有するサーバ４とで構成し、情報処理端末３をインターネット５を介してサーバ４に接続しても良い。
複数の顧客にそれぞれ商品提案を行う場合、複数の商品提案システムの記憶手段に個別に意匠情報を格納するよりも、サーバ４の記憶手段２１に一元的に格納して一元的に管理した方が、効率が良い。
【実施例３】
【００２８】
実施例１において、５０インチ型ＰＤＰの画面上に、キッチン設備品同士の配色の良否判定結果を６段階評価として表示しても良い。
【００２９】
複数の設備品を含むキッチン全体の意匠を決定表示する際に、設備品の価格、納期等を合わせて表示しても良い。顧客へのサービスの質が向上する。
【００３０】
本発明を浴室やトイレや洗面所などの商品提案に利用することも可能である。
【産業上の利用可能性】
【００３１】
本発明は、キッチン、浴室、洗面所、トイレ等の住宅設備の意匠プランを、顧客に提案する場合に有効である。
【図面の簡単な説明】
【００３２】
【図１】本発明の実施例に係る住宅設備の商品提案システムの概略構成を示すブロック図である。
【図２】本発明の実施例に係る住宅設備の商品提案方法の流れを示すフローチャートである
【図３】本発明の実施例に係る住宅設備の商品提案システムの概略構成図である。
【図４】キッチン設備品同士の配色の良否判定基準の一例を示す図である。（ａ）はカウンターと扉の配色良否判定基準であり、（ｂ）は扉と床の配色良否判定基準である。
【図５】本発明の実施例に係る住宅設備の商品提案システムの概略構成を示すブロック図である。
【符号の説明】
【００３３】
１  意匠見本サンプル
１１  識別情報格納記憶手段
１２  情報伝達手段を具備したインターフェース
２  情報処理装置
２１  記憶手段
２２  感知手段を備えたインターフェース
２３  演算処理手段
２４  表示手段
２５  出力手段
２６  操作手段
２７ａ、２７ｂ、２７ｃ、２７ｄ、２７ｅ  良否評価表示ＬＥＤ
３  情報処理端末
４  サーバ
５  インターネット
１００  商品アドバイザー
２００  顧客
【図１】
2005284713.tif 000003
【図２】
2005284713.tif 000004
【図３】
2005284713.tif 000005
【図４】
2005284713.tif 000006
【図５】
2005284713.tif 000007